(57)【要約】【課題】測定対象とする色が特定色を含むか否かを考慮せずに色を測定する場合と比較して、測定対象とする色が特定色を含むか否かに関わらず、高精度に色を測定することができる色処理装置、色処理システム、及び色処理プログラムを提供する。【解決手段】第１空間の色と、複数の測定用画像が読取手段により読み取られた第２空間の色と、第２空間の色を予め定めた変換モデルにより変換した第３空間の色との対応関係を示す色データを取得する。第１空間の色と、第１空間の特定色を含んだ一部の測定用画像が測色手段により測色された第３空間の色との対応関係を示す色データを取得する。第１空間の色と、第１空間の特定色を含んだ他の測定用画像の第１空間の色を、第１の色データ及び第２の色データから求めた変換式により変換した第３空間の色と、の対応関係を示す色データを取得する。【選択図】図２
2017157957.tif 000002
【特許請求の範囲】
【請求項１】
第１空間の色と、前記第１空間の色が各々異なる複数の測定用画像が読取手段により読み取られた第２空間の色と、前記第２空間の色を予め定めた変換モデルにより変換した第３空間の色と、の対応関係を示す第１の色データを取得する第１取得手段と、
前記第１空間の色と、前記複数の測定用画像のうち、前記第１空間の特定色を含んだ一部の前記測定用画像が測色手段により測色された第３空間の色と、の対応関係を示す第２の色データを取得する第２取得手段と、
前記第１空間の色と、前記特定色を含んだ前記測定用画像のうち、前記一部の前記測定用画像以外の前記測定用画像の前記第１空間の色を、前記第１の色データ及び前記第２の色データから求めた変換式により変換した前記第３空間の色と、の対応関係を示す第３の色データを取得する第３取得手段と、
を備えた色処理装置。
【請求項２】
前記第１取得手段は、前記第１空間の色と、複数の前記測定用画像を配列させた第１パターン画像を前記読取手段により読み取った前記第２空間の色と、前記第２空間の色を予め定めた変換モデルにより変換した第３空間の色と、の対応関係を示す前記第１の色データを取得し、
前記第２取得手段は、前記第１空間の色と、前記複数の測定用画像のうち、前記特定色を含んだ複数の前記測定用画像を配列させた第２パターン画像が前記測色手段により測色された前記第３空間の色と、の対応関係を示す前記第２の色データを取得する
請求項１記載の色処理装置。
【請求項３】
前記第２パターン画像は、前記特定色を含んだ前記測定用画像から、複数の前記測定用画像の相互間の色差が予め定めた閾値以上となるように選択された前記測定用画像が配列された画像である
請求項２記載の色処理装置。
【請求項４】
前記第３空間が、色相軸、彩度軸、及び明度軸を有する色空間であって、
前記第２パターン画像は、前記特定色を含んだ前記測定用画像から、前記第３空間を色相方向、彩度方向、及び明度方向の少なくとも１つの方向に沿って複数に分割した分割領域に、前記測定用画像の色が予め定めた数以上含まれないように選択された前記測定用画像が配列された画像である
請求項２又は３記載の色処理装置。
【請求項５】
前記第２パターン画像は、前記測定用画像が線状に配列された画像である
請求項２〜４の何れか１項記載の色処理装置。
【請求項６】
請求項１〜５の何れか１項記載の色処理装置と、
第１空間の色が各々異なる複数の測定用画像を読み取る読取手段と、
第１空間の色が各々異なる複数の測定用画像の色を測色する測色手段と、
を備えた色処理システム。
【請求項７】
コンピュータを、請求項１〜５の何れか１項記載の色処理装置を構成する各手段として機能させるためのプログラム。
【発明の詳細な説明】
【技術分野】
【０００１】
本発明は、色処理装置、色処理システム、及び色処理プログラムに関する。
【背景技術】
【０００２】
特許文献１には、所定の原稿を読取り手段で読み取らせ、適正な処理パラメータを設定する画像処理装置であって、前もって原稿を前記読取り手段で読み取り、得られた画像データを入力する入力手段と、前記入力画像データが前記読取り手段の入力範囲内か否かを判定する判定手段と、前記判定の結果に基づき、前記入力範囲内の画像データを用いて前記処理パラメータを設定する設定手段とを有することを特徴とする画像処理装置が開示されている。
【先行技術文献】
【特許文献】
【０００３】
【特許文献１】特開平０９−００６９５６号公報
【発明の概要】
【発明が解決しようとする課題】
【０００４】
従来、画像形成装置により形成された画像の色を測定する際、各々色が異なる複数の測定用画像を画像読取装置で読み取ることにより測定用画像の色を測定していた。このような場合、一般的に、ＣＭＹＫの４色の組み合わせからなる色を、ＲＧＢの３色の組み合わせに分解することになる。そのため、測定した色データに基づいて色変換パラメータを作成し、作成した色変換パラメータに基づいて色変換を行う場合に、十分な精度を得ることができなかった。
【０００５】
特に、ＣＭＹＫとＲＧＢとでは、ＣとＲ、ＭとＧ、ＹとＢがそれぞれ対応しているが、Ｋは何れの色にも対応していない。そのため、一般的に、変換対象とする色がＫを含まない場合、及びＫのみを含む場合には、色を精度良く測定することができる。しかし、変換対象とする色がＫを含む多次色である場合には、色を測定する際の精度が低下してしまうことが知られている。例えば、ＣＭＹＫの４色からなる色をＲＧＢの３色からなる色で読み取った場合に、Ｋが含まれていない測定用画像を読み込んでも、Ｋが含まれる色として測定される場合があり、色管理を精度良く行えない可能性があった。
【０００６】
また、画像形成装置により形成される画像の色を管理する際、測色器により測定用画像を測色する方法もあるが、その場合には、複数の測定用画像の各々を測色するため、時間及び手間がかかってしまう。
【０００７】
本発明は、測定対象とする色が特定色を含むか否かを考慮せずに色を測定する場合と比較して、測定対象とする色が特定色を含むか否かに関わらず、高精度に色を測定することができる色処理装置、色処理システム、及び色処理プログラムを提供することを目的とする。
【課題を解決するための手段】
【０００８】
請求項１に係る色処理装置は、第１空間の色と、前記第１空間の色が各々異なる複数の測定用画像が読取手段により読み取られた第２空間の色と、前記第２空間の色を予め定めた変換モデルにより変換した第３空間の色と、の対応関係を示す第１の色データを取得する第１取得手段と、前記第１空間の色と、前記複数の測定用画像のうち、前記第１空間の特定色を含んだ一部の前記測定用画像が測色手段により測色された第３空間の色と、の対応関係を示す第２の色データを取得する第２取得手段と、前記第１空間の色と、前記特定色を含んだ前記測定用画像のうち、前記一部の前記測定用画像以外の前記測定用画像の前記第１空間の色を、前記第１の色データ及び前記第２の色データから求めた変換式により変換した前記第３空間の色と、の対応関係を示す第３の色データを取得する第３取得手段と、を備える。
【０００９】
請求項２に係る色処理装置は、請求項１記載の発明において、前記第１取得手段は、前記第１空間の色と、複数の前記測定用画像を配列させた第１パターン画像を前記読取手段により読み取った前記第２空間の色と、前記第２空間の色を予め定めた変換モデルにより変換した第３空間の色と、の対応関係を示す前記第１の色データを取得し、前記第２取得手段は、前記第１空間の色と、前記複数の測定用画像のうち、前記特定色を含んだ複数の前記測定用画像を配列させた第２パターン画像が前記測色手段により測色された前記第３空間の色と、の対応関係を示す前記第２の色データを取得する。
【００１０】
請求項３に係る色処理装置は、請求項２記載の発明において、前記第２パターン画像は、前記特定色を含んだ前記測定用画像から、複数の前記測定用画像の相互間の色差が予め定めた閾値以上となるように選択された前記測定用画像が配列された画像である。
【００１１】
請求項４に係る色処理装置は、請求項２又は３記載の発明において、前記第３空間が、色相軸、彩度軸、及び明度軸を有する色空間であって、前記第２パターン画像は、前記特定色を含んだ前記測定用画像から、前記第３空間を色相方向、彩度方向、及び明度方向の少なくとも１つの方向に沿って複数に分割した分割領域に、前記測定用画像の色が予め定めた数以上含まれないように選択された前記測定用画像が配列された画像である。
【００１２】
請求項５に係る色処理装置は、請求項１〜４の何れか１項記載の発明において、  前記第２パターン画像は、前記測定用画像が線状に配列された画像である。
【００１３】
請求項６に係る色処理システムは、請求項１〜５の何れか１項記載の色処理装置と、第１空間の色が各々異なる複数の測定用画像を読み取る読取手段と、第１空間の色が各々異なる複数の測定用画像の色を測色する測色手段と、を備える。
【００１４】
請求項７に係る色処理プログラムは、コンピュータを、請求項１〜５の何れか１項記載の色処理装置を構成する各手段として機能させるプログラムである。
【発明の効果】
【００１５】
請求項１、６、７の発明によれば、測定対象とする色が特定色を含むか否かを考慮せずに色を測定する場合と比較して、測定対象とする色が特定色を含むか否かに関わらず、高精度に色を測定することができる。
【００１６】
請求項２の発明によれば、特定色を含んだ変換用画像を他の変換用画像と区別しない場合と比較して、特定色を含んだ画像の色を容易に測定することができる。
【００１７】
請求項３の発明によれば、測色対象とする、特定色を含んだ複数の変換用画像を、相互間の色差を考慮せずに選択する場合と比較して、第１空間の色を第３空間の色に精度良く変換する変換式を作成することができる。
【００１８】
請求項４の発明によれば、測色対象とする、特定色を含んだ複数の変換用画像を、色相を考慮せずに選択する場合と比較して、第１空間の色を第３空間の色に精度良く変換する変換式を作成することができる。
【００１９】
請求項５の発明によれば、特定色を含んだ変換用画像を格子状に配列させる場合と比較して、特定色を含んだ画像の色を簡単な操作で測定することができる。
【図面の簡単な説明】
【００２０】
【図１】実施形態に係る色処理システムの全体構成を示すブロック図である。
【図２】実施形態に係る色処理装置の機能的な構成を示すブロック図である。
【図３】実施形態に係る第１の色データの作成方法を示す模式図である。
【図４】実施形態に係る第２パターン画像に配列させるＫ色画像を選択する選択方法の一例を示す表である。
【図５】実施形態に係る第２の色データの作成方法を示す模式図である。
【図６】実施形態に係る第３の色データの作成方法を示す模式図である。
【図７】実施形態に係るＣＭＹＫ空間の色をＬａｂ空間の色に変換するための変換式を作成する作成方法の一例を示す表である。
【図８】実施形態に係る色処理装置の電気的な構成を示すブロック図である。
【図９】実施形態に係る画像形成処理のプログラムの流れを示すフローチャートである。
【図１０】実施形態に係る測定処理のプログラムの流れを示すフローチャートである。
【発明を実施するための形態】
【００２１】
以下、添付図面を参照して、本実施形態に係る色処理システムについて説明する。
【００２２】
本実施形態に係る色処理システム１は、図１に示すように、後述する色処理装置２、用紙４に画像を形成する画像形成装置３を有している。また、色処理システム１は、画像形成装置３により用紙４に形成された画像を読み取る、読取手段の一例である画像読取装置（所謂スキャナ）５、及び画像形成装置３により用紙４に形成された画像を測色する、測色手段の一例である色測定装置６を有している。色測定装置６としては、分光測色計、ＬＥＤ（light emitting diode）測色計等が例示される。
【００２３】
色処理装置２は、図２に示すように、測定用画像作成部１２、第１の色データ取得部１４、第２の色データ取得部１６、第３の色データ取得部１８、及び、色処理データ記憶部２２を有している。また、色処理データ記憶部２２は、第１の色データ記憶部２２ａ、第２の色データ記憶部２２ｂ、及び、第３の色データ記憶部２２ｃを有している。
【００２４】
測定用画像作成部１２は、色を測定するための複数の測定用画像３２を各々異なる色で作成して配列させたパターン画像を作成し、作成したパターン画像を示す画像データを画像形成装置３に対して送信する。
【００２５】
本実施形態では、まず、測定用画像作成部１２は、第１空間の一例であるＣＭＹＫ空間の色で各々の測定用画像３２を作成し、作成した複数の測定用画像３２格子状に配列させた第１パターン画像３０を作成する。この際、測定用画像作成部１２は、複数の測定用画像３２のうちの一部（例えば、全体の３割）を、特定色を含む色で形成されたＫ色画像３４として作成すると共に、図３に示すように、Ｋ色画像３４を第１パターン画像３０においてランダムに配置させる。ここでいう特定色とは、ＣＭＹＫ空間とＲＧＢ空間との間で対応付けされない色であり、本実施形態では、この特定色をＫ色として説明する。Ｋ色画像３４をランダムに配置させることにより、画像形成時の面内ムラによって、Ｋ色を含まない測定用画像３２が色補正によりＫ色を含んでしまうことが回避される。
【００２６】
次に、測定用画像作成部１２は、作成した測定用画像３２からＫ色画像３４を抽出し、抽出したＫ色画像３４を配列させた第２パターン画像３６を作成する。本実施形態では、後述するように、第２パターン画像３６を色測定装置６により測色することを考慮し、測定用画像作成部１２は、第２パターン画像３６において、Ｋ色画像３４を一列に並ぶように配列させる。
【００２７】
そして、測定用画像作成部１２は、第１パターン画像３０が用紙４の第１領域に配置され、第２パターン画像３６が、用紙４の第１領域とは異なる第２領域に配置された画像データを画像形成装置３に対して送信する。一方、画像形成装置３は、画像データを受信すると、受信した画像データに基づく画像を用紙４に形成する。
【００２８】
ここで、第１パターン画像３０は、画像読取装置５で読み取るための画像であり、第２パターン画像３６は、色測定装置６により測色するための画像である。画像を画像読取装置５で読み取る際には、画像全体が一度に読み取られる。一方、画像を色測定装置６により測色する際には、ユーザが色測定装置６を保持して測色対象の画像上をなぞることにより測色される。そのため、色測定装置６を用いて画像を測色する場合、画像読取装置５で画像を読み取る場合と比較して、時間及び手間を多く要する。
【００２９】
そこで、本実施形態では、第１パターン画像３０に配置されるＫ色画像３４のうちの予め定めた数（例えば、数十個）のＫ色画像３４を選択して、第２パターン画像３６に、選択したＫ色画像３４を一列に並ぶように配列させる。このように、Ｋ色画像３４を一列に並ぶように配列させることにより、ユーザが色測定装置６を第２パターン画像３６上を線状になぞるのみにより、測色の一連の作業を行うことが可能となる。なお、本実施形態では、第２パターン画像３６においてＫ色画像３４を一列に並ぶように配列させるが、配列方法はこれに限らず、色測定装置６で色を測定するのに適した配列方法とすればよい。例えば、色測定装置６で３列分のＫ色画像３４を一度に測色できる場合には、Ｋ色画像３４を３列に並ぶように配列させると良い。
【００３０】
また、本実施形態では、測色に要する時間及び手間を軽減させるために、第１パターン画像３０に含まれるＫ色画像３４のうちの、一部のＫ色画像３４を第２パターン画像３６に配列させる。
【００３１】
図４に、第２パターン画像３６に配列させるＫ色画像３４を選択する選択方法の一例を示した。一例として図４に示すように、Ｋ色画像３４のＣＭＹＫ空間の色を第３空間の一例であるＬａｂ空間の色に変換したＬａｂ空間の色を用いて、第２パターン画像３６に配列させるＫ色画像３４を選択する。本実施形態では、以下の２つの選択方法（Ａ）及び（Ｂ）のうちの何れかにより、第２パターン画像３６に配列させるＫ色画像３４を選択する。
【００３２】
（Ａ）各々のＫ色画像３４の色の相互間の色差が予め定めた閾値以下とならないように、Ｋ色画像３４を選択する。
【００３３】
（Ｂ）Ｌａｂ空間における色相を予め定めた分割数（例えば、６分割）で分割し、彩度を予め定めた分割数（例えば、３分割）で分割し、明度を予め定めた分割数（例えば、３分割）で分割する。そして、分割された各々の分割領域に、予め定めた数（例えば、２つ）以上の色が存在しないように、Ｋ色画像３４を選択する。
【００３４】
図４は、上記（Ａ）の選択方法を用いた場合の例である。図４に示す例では、「評価」の項目に「○」と記述されている色のＫ色画像３４が選択された画像であり、「×」と記述されている色のＫ色画像３４が選択されていない画像である。例えば、識別子ａの色が最初に選択された場合、既に選択されている識別子ａの色と識別子ｂの色とは色差が閾値以上であるため、識別子ｂの色も選択される。また、既に選択されている識別子ａの色と識別子ｃの色とは色差が閾値以上ではなく、既に選択されている識別子ａの色と識別子ｄの色とは色差が閾値以上ではないため、識別子ｃの色、及び識別子ｄの色は選択されない。一方、既に選択されている識別子ａの色と識別子ｅの色とは色差が閾値以上であり、既に選択されている識別子ｂの色と識別子ｅの色とは色差が閾値以上であるため、識別子ｅの色は選択されない。このように、各々の色の相互間の色差が閾値以下となるように、Ｋ色画像３４が選択される。
【００３５】
第１の色データ取得部１４は、図３に示すように、用紙４の第１パターン画像３０が画像読取装置５により読み取られた画像データを取得する。本実施形態では、第１の色データ取得部１４は、ＣＭＹＫ空間の色で作成された測定用画像３２が、第２空間の一例であるＲＧＢ空間の色として読み取られた画像データであるＲＧＢデータを取得する。
【００３６】
また、第１の色データ取得部１４は、取得したＲＧＢデータを、ＲＧＢ空間の色をＬａｂ空間の色に変換する変換モデルを用いて、ＲＧＢデータの各色をＬａｂ空間の色に変換した画像データであるＬａｂデータに変換する。本実施形態では、複数の測定用画像を用いてＲＧＢ空間の各色とＬａｂ空間の各色との対応関係を予め求めておき、この対応関係に基づく変換モデルとして記憶している。そして、第１の色データ取得部１４は、記憶されている変換モデルを用いて、ＲＧＢデータの各色をＬａｂ空間の色に変換する。
【００３７】
上述したように、この変換モデルを用いた場合には、Ｋ色を含まない色、及びＫ色のみを含む色は精度良く変換されるが、Ｋ色を多次元的に含む色については、精度良く変換されない可能性がある。そのため、後述するように、Ｋ色を多次元的に含む色については、さらに色測定装置６を用いて測色したＬａｂの値を用いることにより、変換の精度を向上させる。
【００３８】
そして、第１の色データ取得部１４は、変換されたＬａｂデータを、第１の色データ記憶部２２ａに記憶させる。なお、第１の色データは、第１パターン画像３０に配列された測定用画像３２のＣＭＹＫ空間の色と、読み取られたＲＧＢ空間の色と、変換後のＬａｂ空間の色とが対応付けられた情報である。
【００３９】
第２の色データ取得部１６は、図５に示すように、用紙４の第２パターン画像３６が色測定装置６により測色された測色データを取得する。本実施形態では、第２の色データ取得部１６は、ＣＭＹＫ空間の色で作成された測定用画像３２がＬａｂ空間の色として読み取られた画像データであるＬａｂデータを取得する。そして、第２の色データ取得部１６は、変換されたＬａｂデータを、第２の色データ記憶部２２ｂに記憶させる。なお、第２の色データは、第２パターン画像３６に配列されたＫ色画像３４のＣＭＹＫ空間の色と、変換後のＬａｂ空間の色とが対応付けられた情報である。
【００４０】
第３の色データ取得部１８は、第１の色データ記憶部２２ａから第１の色データを取得すると共に、第２の色データ記憶部２２ｂから第２の色データを取得する。
【００４１】
ここで、第３の色データ取得部１８は、第２の色データから、第２パターン画像３６に配列されたＫ色画像３４について、ＣＭＹＫの色とＬａｂ空間の色との対応関係を抽出する。また、第３の色データ取得部１８は、第１の色データから、第２の色データに含まれるＫ色画像３４の各々の色に対応するＲＧＢ空間の色を取得する。これにより、一例として図７に示すように、第２パターン画像３６に配列されたＫ色画像３４について、ＣＭＹＫの色とＲＧＢの色とＬａｂ空間の色とがそれぞれ対応付けられる。
【００４２】
第３の色データ取得部１８は、対応付けたＣＭＹＫの色とＲＧＢの色とＬａｂ空間の色との対応関係から、ＣＭＹＫ空間のＫ色、及びＲＧＢ空間の各色を合わせたＲＧＢＫ空間の色３８を、Ｌａｂ空間の色に変換する変換式を作成する。本実施形態では、第２パターン画像３６に配列されたＫ色画像３４の各々について、ＲＧＢＫ空間の色３８の各々とＬａｂ空間の色との各々の対応関係を表す近似式を求め、求めた近似式を、ＲＧＢＫ空間の色３８をＬａｂ空間の色に変換する変換式とする。
【００４３】
また、第３の色データ取得部１８は、複数のＫ色画像３４のうち、第２パターン画像３６に配列されていないＫ色画像３４を抽出する。また、第３の色データ取得部１８は、第１の色データから、第２パターン画像３６に配列されていないＫ色画像３４について、Ｋ色画像３４のＣＭＹＫ空間の色と、読み取られたＲＧＢ空間の色との対応関係を求める。また、第３の色データ取得部１８は、求めた対応関係からＲＧＢＫ空間の色３８を抽出し、上述した変換式にＲＧＢＫ空間の色３８を代入することにより、ＲＧＢＫ空間の色３８をＬａｂ空間の色に変換する。これにより、第２パターン画像３６に配列されていないＫ色画像３４についても、ＣＭＹＫの色とＲＧＢの色とＬａｂ空間の色とがそれぞれ対応付けられる。
【００４４】
なお、本実施形態に係る色処理装置１０は、図８に示すように、装置全体を制御するＣＰＵ（Central Processing Unit）を備え、色処理装置１０の各部がＣＰＵ４０により制御されて実現される。また、ＣＰＵ４０は、ＣＰＵ４０の処理に使用されるプログラム及び各種情報を記憶するＲＯＭ（Read Only Memory）４２に接続されている。また、ＣＰＵ４０は、ＣＰＵ４０の作業領域として一時的に各種データを記憶するＲＡＭ（Random Access Memory）４４、及び、ＣＰＵ４０の処理に使用される各種情報を記憶する不揮発性メモリ等の記憶部４６を接続されている。なお、色処理データ記憶部２２は、記憶部４６に設けられている。更に、ＣＰＵ４０は、色処理装置１０に接続された外部装置に対するデータの入出力を行う通信回線Ｉ／Ｆ（インタフェース）部４８に接続されている。通信回線Ｉ／Ｆ部４８には、上述した画像形成装置３、上述した画像読取装置５、及び、色測定装置６が接続されている。また、ＣＰＵ４０は、データを入力するキーボード、マウス等と、データを表示するディスプレイ等を有する操作表示部５０に接続されている。
【００４５】
次に、本実施形態に係る色処理装置１０が実行する画像形成処理を行う際の処理の流れを、図９に示すフローチャートを参照して説明する。なお、本画像形成処理は、第１パターン画像３０及び第２パターン画像３６を作成する処理である。
【００４６】
なお、本実施形態では、画像形成処理のプログラムは予め記憶部４６に記憶されているが、これに限らない。例えば、画像形成処理のプログラムは、外部装置から通信回線Ｉ／Ｆ部４８を介して受信して実行されても良い。また、ＣＤ−ＲＯＭ等の記録媒体に記録された画像形成処理のプログラムがＣＤ−ＲＯＭドライブ等で読み込まれることにより、画像形成処理が実行されるようにしてもよい。
【００４７】
本実施形態では、画像形成処理のプログラムは、ユーザによる操作表示部５０の操作により実行指示が入力された場合に実行される。しかしながら、実行されるタイミングはこれに限らず、例えば、画像形成装置３が起動されたタイミングで実行されても良い。
【００４８】
ステップＳ１０１では、測定用画像作成部１２が、画像形成装置３のカラープロファイルを読み出す。一般的に、画像形成装置で画像を形成する際、同じ画像データを出力した場合であっても、出力された画像の色が機種毎に異なっている場合がある。そのため、各々の画像形成装置のカラー特性を示したカラープロファイルが機種毎に予め作成されて、記憶部４６に記憶されている。測定用画像作成部１２は、このカラープロファイルを読み出す。
【００４９】
ステップＳ１０３では、測定用画像作成部１２が、測定用画像３２を作成すると共に、画像読取装置５で読み取るための第１パターン画像３０、及び色測定装置６で測色するための第２パターン画像３６を作成する。
【００５０】
ステップＳ１０５では、測定用画像作成部１２が、作成した第１パターン画像３０及び第２パターン画像３６に含まれる測定用画像３２の色を、読み出したカラープロファイルに基づいて変換する。これにより、画像形成装置３の特性に応じて測定用画像３２の色が変換される。
【００５１】
ステップＳ１０７では、測定用画像作成部１２が、第１パターン画像３０に配列された測定用画像３２から１つの測定用画像３２を選択する。本実施形態では、第１パターン画像３０に格子状に配列された測定用画像３２を左上から順に選択する。
【００５２】
ステップＳ１０９では、測定用画像作成部１２が、選択した測定用画像３２のＣＭＫＹの値から、選択した測定用画像３２を第２パターン画像３６に配列させるか否かを判定する。この際、測定用画像作成部１２は、上述した選択方法（Ａ）又は（Ｂ）により、測定用画像３２を第２パターン画像３６に配列させるか否かを判定する。ステップＳ１０９で選択した測定用画像３２を第２パターン画像３６に配列させると判定した場合（Ｓ１０９，Ｙ）はステップＳ１１１に移行する。また、ステップＳ１０９で選択した測定用画像３２を第２パターン画像３６に配列させないと判定した場合（Ｓ１０９，Ｎ）はステップＳ１１５に移行する。
【００５３】
ステップＳ１１１では、測定用画像作成部１２が、選択した測定用画像３２を、第２パターン画像３６に配列させる画像とする。
【００５４】
ステップＳ１１３では、測定用画像作成部１２が、選択した測定用画像３２を第２パターン画像３６に新たに配列させ、第２パターン画像を更新する。
【００５５】
ステップＳ１１５では、測定用画像作成部１２が、未処理の測定用画像３２、すなわちステップＳ１０７乃至Ｓ１１３の処理を行っていない測定用画像３２があるか否かを判定する。ステップＳ１１５で未処理の測定用画像３２があると判定した場合（Ｓ１１５，Ｙ）はステップＳ１０７に戻り、未処理の測定用画像３２がないと判定した場合（Ｓ１１５，Ｎ）はステップＳ１１７に移行する。
【００５６】
ステップＳ１１７では、測定用画像作成部１２が、第１パターン画像３０が用紙４の第１領域に配置され、第２パターン画像３６が、用紙４の第２領域に配置された画像データを作成し、本画像形成処理のプログラムの実行を終了する。なお、測定用画像作成部１２は、作成した画像データを画像形成装置３に対して送信する。また、測定用画像作成部１２は、第１パターン画像３０に配列された測定用画像３２のＣＭＹＫの値、及び第２パターン画像３６に配列された測定用画像３２のＣＭＹＫの値を示す情報も併せて送信する。
【００５７】
なお、画像形成装置３は、上記画像データを色処理装置２から受信すると、画像データに基づき、第１パターン画像３０及び第２パターン画像３６を用紙４に形成する。そして、色処理装置２は、用紙４に形成された第１パターン画像３０及び第２パターン画像３６に基づき、測定用画像３２の色を測定する測定処理を行う。
【００５８】
次に、本実施形態に係る色処理装置１０が実行する測定処理を行う際の処理の流れを、図１０に示すフローチャートを参照して説明する。
【００５９】
なお、本実施形態では、測定処理のプログラムは予め記憶部４６に記憶されているが、これに限らない。例えば、測定処理のプログラムは、外部装置から通信回線Ｉ／Ｆ部４８を介して受信して実行されても良い。また、ＣＤ−ＲＯＭ等の記録媒体に記録された測定処理のプログラムがＣＤ−ＲＯＭドライブ等で読み込まれることにより、測定処理が実行されるようにしてもよい。
【００６０】
本実施形態では、測定処理のプログラムは、ユーザによる操作表示部５０の操作により実行指示が入力された場合に実行される。しかしながら、実行されるタイミングはこれに限らず、例えば、画像読取装置５から測定用画像３２の読取結果を入力すると共に、色測定装置６から測定用画像３２の測色結果を入力したタイミングで実行されても良い。
【００６１】
ステップＳ２０１では、第１の色データ取得部１４が、第１パターン画像３０に配列された測定用画像３２のＣＭＹＫの値、及び第２パターン画像３６に配列された測定用画像３２のＣＭＹＫの値を示す情報を読み出す。
【００６２】
ステップＳ２０３では、第１の色データ取得部１４が、第１パターン画像３０に配列された各々の測定用画像３２について、画像読取装置５により読み取られたＲＧＢの値を取得する。
【００６３】
ステップＳ２０５では、第１の色データ取得部１４が、第１パターン画像３０に配列された測定用画像３２から１つの測定用画像３２を選択する。本実施形態では、第１パターン画像３０に格子状に配列された測定用画像３２を左上から順に選択する。
【００６４】
ステップＳ２０７では、第１の色データ取得部１４が、選択した測定用画像３２のＣＭＹＫの値から、選択した測定用画像３２がＫ色を含んでいるか否かを判定する。ステップＳ２０７でＫ色を含んでいると判定した場合（Ｓ２０７，Ｙ）はステップＳ２０９に移行し、Ｋ色を含んでいないと判定した場合（Ｓ２０７，Ｎ）はステップＳ２１３に移行する。
【００６５】
ステップＳ２０９では、第１の色データ取得部１４が、選択した測定用画像３２のＲＧＢ空間の色を、上述した変換モデルによりＬａｂ空間の色に変換する。
【００６６】
ステップＳ２１１では、第１の色データ取得部１４が、選択した測定用画像３２のＣＭＹＫの値、ＲＧＢの値、及び、Ｌａｂの値を各々対応付け、第１の色データ記憶部２２ａに記憶させる。
【００６７】
ステップＳ２１３では、第２の色データ取得部１６が、選択した測定用画像３２が、測定用画像３２のＣＭＹＫの値から、第２パターン画像３６に配列された画像であるか否かを判定する。ステップＳ２１３で測定用画像３２が第２パターン画像３６に配列された画像であると判定した場合（Ｓ２１３，Ｙ）は、ステップＳ２１５に移行する。また、ステップＳ２１３で測定用画像３２が第２パターン画像３６に配列された画像ではないと判定した場合（Ｓ２１３，Ｎ）はステップＳ２１９に移行する。
【００６８】
ステップＳ２１５では、第２の色データ取得部１６が、選択した測定用画像３２について、色測定装置６による測色されたＬａｂの値を取得する。
【００６９】
ステップＳ２１７では、第２の色データ取得部１６が、選択した測定用画像３２のＣＭＹＫの値、及び、Ｌａｂの値を各々対応付け、第１の色データ記憶部２２ａに記憶させる。
【００７０】
ステップＳ２１９では、第３の色データ取得部１８が、ＲＧＢＫ空間の色をＬａｂ空間の色に変換するための変換式を取得する。変換式が記憶されていない場合には、上述したように、第１の色データ記憶部２２ａに記憶されている第１の色データと、第２の色データ記憶部２２ｂに記憶されている第２の色データとを用いて、変換式を作成し、記憶部４６に記憶させる。
【００７１】
ステップＳ２２１では、第３の色データ取得部１８が、取得した変換式を用いて、選択した測定用画像３２のＲＧＢＫ空間の色をＬａｂ空間の色に変換する。
【００７２】
ステップＳ２２３では、第３の色データ取得部１８が、選択した測定用画像３２のＣＭＹＫの値、及び、Ｌａｂの値を各々対応付け、第１の色データ記憶部２２ａに記憶させる。
【００７３】
ステップＳ２２５では、第１の色データ取得部１４が、未処理の測定用画像３２、すなわちステップＳ２０５乃至Ｓ２２３の処理を行っていない測定用画像３２があるか否かを判定する。ステップＳ２２５で未処理の測定用画像３２があると判定した場合（Ｓ２２５，Ｙ）はステップＳ２０５に移行し、未処理の測定用画像３２がないと判定した場合（Ｓ２２５，Ｎ）は本測定処理のプログラムの実行を終了する。
【００７４】
このように、本実施形態では、測定用画像３２のＣＭＹＫ空間の色と、測定用画像３２が画像読取装置５により読み取られたＲＧＢ空間の色と、ＲＧＢ空間の色を変換モデルにより変換したＬａｂ空間の色との対応関係を示す第１の色データを取得する。また、Ｋ色画像３４の一部のＣＭＹＫ空間の色と、Ｋ色画像３４の一部が色測定装置６により測色されたＬａｂ空間の色との対応関係を示す第２の色データを取得する。また、Ｋ色画像３４のうちの他の部分のＣＭＹＫ空間の色と、このＫ色画像３４のＣＭＹＫ空間の色が、第１の色データ及び第２の色データから求めた変換式により変換されたＬａｂ空間の色との対応関係を示す第３の色データを取得する。これにより、測定対象とする色がＫを含むか否かに関わらず、高精度に色を測定することが可能となる。
【００７５】
なお、本実施形態では、色処理装置２が、画像形成装置３、画像読取装置５、及び色測定装置６に接続された色処理システム１について説明したが、これに限らない。例えば、色処理装置２、画像形成装置３、画像読取装置５、及び色測定装置６が一体的に形成された色処理システムに対しても、本発明が適用される。また、色処理装置２、画像形成装置３、及び画像読取装置５が一体的に形成され、色処理装置２に色測定装置６が接続された色処理システムに対しても、本発明が適用される。
【００７６】
また、色処理装置２には、画像形成装置３、画像読取装置５、及び色測定装置６が接続されていなくても良い。その場合には、色処理装置２は、第１パターン画像３０に含まれる測定用画像３２のＣＭＹＫの値、第２パターン画像３６に含まれるＫ色画像３４のＣＭＹＫの値を取得すれば良い。また、その場合には、色処理装置２は、第１パターン画像３０に含まれる測定用画像３２を読み取ったＲＧＢの値、及び、第２パターン画像３６に含まれるＫ色画像３４の色を測定したＬａｂの値を取得すれば良い。
【符号の説明】
【００７７】
１  色処理システム
２  色処理装置
３  画像形成装置
４  用紙
５  画像読取装置
６  色測定装置
１２  測定用画像作成部
１４  第１の色データ取得部
１６  第２の色データ取得部
１８  第３の色データ取得部
２２  色処理データ記憶部
２２ａ  第１の色データ記憶部
２２ｂ  第２の色データ記憶部
２２ｃ  第３の色データ記憶部
３０  第１パターン画像
３２  測定用画像
３６  Ｋ色画像
４０  ＣＰＵ
４２  ＲＯＭ
４４  ＲＡＭ
４６  記憶部
４８  通信回線Ｉ／Ｆ部
４０  操作表示部
【図１】
2017157957.tif 000003
【図２】
2017157957.tif 000004
【図３】
2017157957.tif 000005
【図４】
2017157957.tif 000006
【図５】
2017157957.tif 000007
【図６】
2017157957.tif 000008
【図７】
2017157957.tif 000009
【図８】
2017157957.tif 000010
【図９】
2017157957.tif 000011
【図１０】
2017157957.tif 000012